(57)【要約】【課題】  受信した表示用データに基づく情報を表示する構成において、使用者に不安を与えてしまうことを防ぎつつ、表示用データに基づく情報の表示機能が損なわれてしまうことを防止する。【解決手段】  外部操作による指令の入力（テキストの入力や項目の選択等）を受け付けるための入力／選択情報が表示されている場合には、表示用データとしての操作情報の送信要求をサーバへ送信したとき（操作情報の受信待機状態に移行したとき）に、受信待機状態であることを表す情報の表示に切り替える（Ｓ２０３：ＮＯ，Ｓ２０５）。一方、サーバの状態を表すステータス情報が表示されている場合には、操作情報の送信要求をサーバへ送信しても（操作情報の受信待機状態に移行しても）、ステータス情報の表示を継続する（Ｓ２０３：ＹＥＳ，Ｓ２０４）。【選択図】  図４
2006303608.tif 000002
【特許請求の範囲】
【請求項１】
表示用データを送信する送信側装置と、前記表示用データを受信する受信側装置とが、データ通信可能に構成された通信システムであって、
前記受信側装置は、
情報を表示する表示手段と、
前記送信側装置からの前記表示用データを受信した場合に、その受信した表示用データに基づく情報を前記表示手段に表示させる受信データ表示処理手段と、
前記受信データ表示処理手段によって前記表示手段に表示されている情報が第１の種類の情報である場合には、前記送信側装置からの表示用データの受信待機状態に移行したときに、前記表示されている情報に代えて、受信待機状態であることを表す情報を前記表示手段に表示させ、前記受信データ表示処理手段によって前記表示手段に表示されている情報が第２の種類の情報である場合には、前記送信側装置からの表示用データの受信待機状態に移行しても、前記表示されている情報を前記表示手段に継続的に表示させる待機状態表示処理手段と、
を備えていることを特徴とする通信システム。
【請求項２】
前記受信側装置は、外部操作による指令を入力する入力手段を備えており、
前記第１の種類の情報とは、前記入力手段により外部操作による指令の入力を受け付けるための情報であること
を特徴とする請求項１に記載の通信システム。
【請求項３】
前記第２の種類の情報とは、前記送信側装置の状態を表す情報であること
を特徴とする請求項１又は請求項２に記載の通信システム。
【請求項４】
前記受信側装置は、前記送信側装置に表示用データの送信を要求するための送信要求処理を行うデータ要求処理手段を備えており、
前記受信待機状態に移行したときとは、前記データ要求処理手段により前記送信要求処理が行われたときであること
を特徴とする請求項１から請求項３のいずれか１項に記載の通信システム。
【請求項５】
外部装置との間でデータ通信を行うための通信手段と、
情報を表示する表示手段と、
を備えた通信装置であって、
前記通信手段により前記外部装置からの表示用データが受信された場合に、その受信された表示用データに基づく情報を前記表示手段に表示させる受信データ表示処理手段と、
前記受信データ表示処理手段によって前記表示手段に表示されている情報が第１の種類の情報である場合には、前記外部装置からの表示用データの受信待機状態に移行したときに、前記表示されている情報に代えて、受信待機状態であることを表す情報を前記表示手段に表示させ、前記受信データ表示処理手段によって前記表示手段に表示されている情報が第２の種類の情報である場合には、前記外部装置からの表示用データの受信待機状態に移行しても、前記表示されている情報を前記表示手段に継続的に表示させる待機状態表示処理手段と、
を備えたことを特徴とする通信装置。
【請求項６】
外部装置との間でデータ通信を行うための通信手段と、
情報を表示する表示手段と、
を備えたコンピュータを、
前記通信手段により前記外部装置からの表示用データが受信された場合に、その受信された表示用データに基づく情報を前記表示手段に表示させる受信データ表示処理手段、及び、
前記受信データ表示処理手段によって前記表示手段に表示されている情報が第１の種類の情報である場合には、前記外部装置からの表示用データの受信待機状態に移行したときに、前記表示されている情報に代えて、受信待機状態であることを表す情報を前記表示手段に表示させ、前記受信データ表示処理手段によって前記表示手段に表示されている情報が第２の種類の情報である場合には、前記外部装置からの表示用データの受信待機状態に移行しても、前記表示されている情報を前記表示手段に継続的に表示させる待機状態表示処理手段、
として機能させることを特徴とするプログラム。
【発明の詳細な説明】
【技術分野】
【０００１】
本発明は、表示用データを送信する送信側装置と表示用データを受信する受信側装置とがデータ通信可能に構成された通信システム、この通信システムにおいて受信側装置として用いられる通信装置、及び、この通信装置を構成するコンピュータに各種処理を実行させるためのプログラムに関するものである。
【背景技術】
【０００２】
従来、クライアントサーバ型ネットワークなどのようにデータを提供（送信）する送信側装置とデータを利用（受信）する受信側装置とが通信可能に構成された通信システムが知られている。
【０００３】
例えば、特許文献１には、クライアントサーバ型ネットワークとして次のような構成が開示されている。すなわち、クライアントマシン（受信側装置）とサーバマシン（送信側装置）とを備えた通信システムにおいて、クライアントマシンが、サーバマシンから取得したデータをキャッシュするように構成されており、自装置にキャッシュしたデータに基づくプロセスを実行する前に、そのキャッシュデータがサーバマシンで事後的に更新されているか否かの確認を行いつつ現在のキャッシュデータに基づく仮プロセスを実行する。そして、確認の結果、キャッシュデータが更新されていない場合には仮プロセスの実行結果を実プロセスとして確定させて後続プロセスの実行を継続し、キャッシュデータが更新されていた場合には仮プロセスの実行結果を削除する。
【特許文献１】特開平９−１６０８２９号公報
【発明の開示】
【発明が解決しようとする課題】
【０００４】
ところで、受信側装置が、送信側装置から送信される表示用データを受信してその表示用データに基づく情報をディスプレイ等の表示装置に表示する処理を行う場合において、通信速度やトラフィック等の事情により送信側装置から表示用データを受信する待機時間が長いと、表示用データに基づく情報が表示装置に表示されるまでに時間がかかり、使用者（ユーザ）に不安を与えてしまう要因となる。
【０００５】
ここで、上記特許文献１に記載の構成に倣い、表示用データの受信待機状態に移行した場合には、表示装置の表示を、キャッシュされている表示用データに基づく情報の表示（仮の表示）に切り替えることも考えられるが、キャッシュされている表示用データが更新前の古い表示用データである場合にはその古い情報が一時的に表示されてしまうこととなり、使用者を混乱させてしまう。
【０００６】
そこで、表示用データの受信待機状態に移行した場合には、表示装置の表示を、受信待機状態であることを表す情報の表示に切り替えることにより、使用者に状況を把握させるという手法が考えられる。
【０００７】
しかしながら、このようにすると、表示用データが頻繁に受信される場合には、受信待機状態であることを表す情報を表示する頻度が高くなり、表示用データに基づく情報を表示するという本来の表示機能が損なわれてしまう。
【０００８】
本発明は、こうした問題にかんがみてなされたものであり、受信した表示用データに基づく情報を表示する構成において、使用者に不安を与えてしまうことを防ぎつつ、表示用データに基づく情報の表示機能が損なわれてしまうことを防止可能な通信システム、通信装置及びプログラムを提供することを目的としている。
【課題を解決するための手段】
【０００９】
上記目的を達成するためになされた本発明の請求項１に記載の通信システムは、表示用データ（受信側装置において表示するための情報を表すデータ）を送信する送信側装置と、表示用データを受信する受信側装置とが、データ通信可能に構成されたものである。
【００１０】
そして、本通信システムにおいて、受信側装置には、情報を表示する表示手段が設けられており、受信データ表示処理手段が、送信側装置からの表示用データを受信した場合に、その受信した表示用データに基づく情報（表示用データが表す情報そのものや、表示用データが表す情報に加工を施した情報等）を表示手段に表示させる。さらに、待機状態表示処理手段が、受信データ表示処理手段によって表示手段に表示されている情報が第１の種類の情報である場合には、送信側装置からの表示用データの受信待機状態に移行したときに、表示されている情報に代えて、受信待機状態であることを表す情報を表示手段に表示させ、受信データ表示処理手段によって表示手段に表示されている情報が第２の種類の情報である場合には、送信側装置からの表示用データの受信待機状態に移行しても、表示されている情報を表示手段に継続的に表示させる。
【００１１】
つまり、本通信システムでは、表示手段に表示されている情報が第１の種類の情報である場合と第２の種類の情報である場合とで、受信待機状態に移行したときの表示パターンを異ならせるようにしている。
【００１２】
このため、本通信システムによれば、使用者に不安を与えてしまうことを防ぎつつ、表示用データに基づく情報の表示機能が損なわれてしまうことを防止することが可能となる。すなわち、表示用データの受信待機状態に移行したことを使用者に積極的に把握させるべきか、それとも表示用データに基づく情報の表示を優先するべきかは、表示手段に表示されている情報の内容によって異なる。そこで、受信待機状態へ移行したことを使用者に積極的に把握させるための表示パターンによる表示と、表示用データに基づく情報の表示を優先する表示パターンによる表示とを可能な構成とし、表示手段に表示されている情報の種類に適した表示パターンを選択するようにしているのである。
【００１３】
具体的には、請求項２に記載の通信システムのように受信側装置が外部操作による指令を入力する入力手段を備えている構成では、入力手段により外部操作による指令の入力を受け付けるための表示情報を第１の種類の情報と分類することが好ましい。つまり、入力手段により外部操作による指令の入力を受け付けるための情報（例えば、テキストの入力や項目の選択を受け付けるための情報）が表示手段に表示されている状態で送信側装置からの表示用データの受信待機状態に移行したときには、その情報に代えて、受信待機状態であることを表す情報を表示手段に表示させるのである。このような構成によれば、外部操作による指令の入力を受け付けている状態から表示用データの受信待機状態に移行したことを使用者に直感的に把握させることができる。この結果、受信待機状態に移行したにもかかわらず使用者がそれを把握できずに不安を感じてしまうことを防ぐことができる。しかも、このように外部操作による指令の入力を受け付けるための情報が表示されている場合には、使用者の意思に関係なく表示情報が頻繁に更新される（表示用データが頻繁に受信される）ことは考えにくいため、表示用データに基づく情報の表示機能が損なわれてしまうことも防止される。
【００１４】
また、請求項３に記載のように、送信側装置の状態を表す表示情報を第２の種類の情報と分類することが好ましい。つまり、送信側装置の状態を表す情報（例えば、現在実行している処理の進行状況を表す情報）が表示手段に表示されている状態で送信側装置からの表示用データの受信待機状態に移行したときには、その情報を表示手段に継続的に表示させるのである。このような構成によれば、送信側装置の状態を表す情報の表示機能が損なわれてしまうことを防ぐことができる。特に、送信側装置の状態を表す情報は送信側装置から頻繁に受信することが好ましく、受信待機状態となる頻度も高くなることから、受信待機状態に移行しても表示を切り替えないことによる効果が高い。しかも、このように送信側装置の状態を表す情報が表示されている場合には、表示用データの受信待機状態に移行したことを使用者に把握させる必要性が低いため、使用者に不安を与えてしまうことを防ぐことができる。
【００１５】
ところで、受信待機状態に移行したときとは、請求項４に記載の通信システムのように受信側装置が送信側装置に表示用データの送信を要求するための送信要求処理を行うデータ要求処理手段を備えている構成においては、データ要求処理手段により送信要求処理が行われたときである。つまり、受信側装置が送信側装置に送信要求処理を行うことで受信待機状態に移行し、表示手段に表示されている情報が第１の種類の情報であれば待機状態表示に切り替え、表示手段に表示されている情報が第２の種類の情報であればその表示を維持する。その後、送信側装置からの表示用データを受信した場合に、その受信した表示用データに基づく情報を表示手段に表示させる。このような構成によれば、例えば、サーバを送信側装置とし、クライアントを受信側装置としたクライアントサーバ型ネットワークシステムにおいて、受信側装置からのリクエストに対するレスポンスとして送信側装置が表示用データを送信する場合に特に有効である。
【００１６】
次に、請求項５に記載の通信装置は、外部装置との間でデータ通信を行うための通信手段と、情報を表示する表示手段と、を備えたものである。そして、本通信装置では、受信データ表示処理手段が、通信手段により外部装置からの表示用データが受信された場合に、その受信された表示用データに基づく情報を表示手段に表示させる。さらに、待機状態表示処理手段が、受信データ表示処理手段によって表示手段に表示されている情報が第１の種類の情報である場合には、外部装置からの表示用データの受信待機状態に移行したときに、表示されている情報に代えて、受信待機状態であることを表す情報を表示手段に表示させ、受信データ表示処理手段によって表示手段に表示されている情報が第２の種類の情報である場合には、外部装置からの表示用データの受信待機状態に移行しても、表示されている情報を表示手段に継続的に表示させる。
【００１７】
つまり、本通信装置では、表示手段に表示されている情報が第１の種類の情報である場合と第２の種類の情報である場合とで、外部装置からの表示用データの受信待機状態に移行したときの表示パターンを異ならせるようにしている。
【００１８】
このため、本通信装置によれば、上記請求項１の通信システムと同様、使用者に不安を与えてしまうことを防ぎつつ、表示用データに基づく情報の表示機能が損なわれてしまうことを防止することが可能となる。
【００１９】
次に、請求項６に記載のプログラムは、外部装置との間でデータ通信を行うための通信手段と情報を表示する表示手段とを備えたコンピュータを、以下に記載の受信データ表示処理手段及び待機状態表示処理手段として機能させることを特徴としている。すなわち、受信データ表示処理手段は、通信手段により外部装置からの表示用データが受信された場合に、その受信された表示用データに基づく情報を表示手段に表示させるものである。また、待機状態表示処理手段は、受信データ表示処理手段によって表示手段に表示されている情報が第１の種類の情報である場合には、外部装置からの表示用データの受信待機状態に移行したときに、表示されている情報に代えて、受信待機状態であることを表す情報を表示手段に表示させ、受信データ表示処理手段によって表示手段に表示されている情報が第２の種類の情報である場合には、外部装置からの表示用データの受信待機状態に移行しても、表示されている情報を表示手段に継続的に表示させるものである。
【００２０】
このため、本プログラムによれば、通信手段及び表示手段を備えたコンピュータを、上記請求項５の通信装置として機能させることができ、これにより上述した効果を得ることができる。なお、通信手段及び表示手段を備えたコンピュータとしては、例えば、通信機能や操作パネルを備えたネットワークプリンタ（ネットワークプリンタとしての機能を有した複合機等も含む）などが挙げられる。また、上記各プログラムには、フレキシブルディスク等の磁気ディスク、光磁気ディスク、半導体製メモリなど、コンピュータ読み取り可能な記憶媒体に記憶された状態のものも含まれることは言うまでもない。
【発明を実施するための最良の形態】
【００２１】
以下、本発明が適用された実施形態について、図面を用いて説明する。
［１．全体構成］
図１は、実施形態の通信システムの概略構成を表すブロック図である。
【００２２】
同図に示すように、この通信システムは、複数の複合機１０，１０，…と、機能サーバ２０とが、広域ネットワーク（ＷＡＮ：Ｗｉｄｅ  Ａｒｅａ  Ｎｅｔｗｏｒｋ）としてのインターネット１を介してデータ通信可能に構成されたものである。
【００２３】
本通信システムにおいて、各複合機１０は、ブロードバンドルータ２を介してインターネット１と接続されている。ここで、ブロードバンドルータ２は、通常設定（デフォルト設定）においてはすべてのポートが閉じられた状態となっており、内部から外部（複合機１０側からインターネット１側）への要求（リクエスト）が出されると、その要求に対する応答（レスポンス）として整合性のとれたパケットのみを通過させる。つまり、ブロードバンドルータ２は、外部から内部へ送信されてくるデータのうち内部から外部への要求に対する応答については通過させそれ以外については遮断するようになっており、インターネット１側から複合機１０への不正なアクセスを防ぐためのファイアウォールとして機能する。
【００２４】
なお、本通信システムでは、複合機１０及び機能サーバ２０が互いにデータを送受信するための通信プロトコルとしてＨＴＴＰ１．１（ＨＴＴＰ：ＨｙｐｅｒＴｅｘｔ  Ｔｒａｎｓｆｅｒ  Ｐｒｏｔｏｃｏｌ）が用いられており、ＨＴＴＰリクエスト及びレスポンスに伴わせたメッセージにより双方向データ通信が行われる。
【００２５】
［２．複合機の構成］
複合機１０は、電話（音声通信）機能、スキャナ機能、プリンタ機能、コピー機能、ファクシミリ機能等を有する多機能装置であり、制御部１１、操作部１２、読取部１３、記録部１４、通信部１５、記憶部１６、音入力部１７及び音出力部１８を備えている。
【００２６】
制御部１１は、ＣＰＵ、ＲＯＭ、ＲＡＭ等からなる周知のマイクロコンピュータを中心に構成されており、複合機１０を構成する各部を統括制御する。なお、ＲＯＭには、後述する各種処理（図３〜図５）をＣＰＵに実行させるためのプログラムが記憶されている。
【００２７】
操作部１２は、ユーザインターフェイスとしての操作パネル４０を有している（図２参照）。この操作パネル４０は、外部操作による使用者からの指令を入力する入力部４０ａと、使用者に対して各種情報を表示する表示部（ディスプレイ）４０ｂとから構成されており、入力部４０ａには、コピーキー４１、スキャナキー４２、ＦＡＸキー４３、サービスキー４４、設定キー４５、上下左右の方向キー４６，４７，４８，４９、ＯＫキー５０及びキャンセルキー５１が設けられている。そして、操作部１２は、操作パネル４０の入力部４０ａにより入力された指令を制御部１１に送るとともに、制御部１１からの指令に応じて使用者に対する各種情報（メッセージ等）を操作パネル４０の表示部４０ｂに表示する。
【００２８】
読取部（スキャナ）１３は、制御部１１からの指令に基づき、原稿の画像をＣＣＤ（Ｃｈａｒｇｅ  Ｃｏｕｐｌｅｄ  Ｄｅｖｉｃｅ）やＣＩＳ（Ｃｏｎｔａｃｔ  Ｉｍａｇｅ  Ｓｅｎｓｏｒ）等の周知のイメージセンサによって読み取り、この画像を表す画像データを生成する。
【００２９】
記録部（プリンタ）１４は、制御部１１からの指令に基づき、記録媒体としての用紙を複数枚収容可能な給紙カセット（給紙トレイ）から１枚ずつ用紙を給紙し、画像記録方式（レーザ転写方式、インクジェット方式等）によって画像データの表す画像を用紙に印刷して、排紙トレイへ排紙するといった印刷処理を行う。
【００３０】
通信部１５は、インターネット１を介してデータを送受信するための通信処理を行う。
記憶部１６は、図示しない不揮発性ＲＡＭに各種データを記憶する。
音入力部１７は、本複合機１０が備える図示しないハンドセット（受話器）に設けられたマイクから音を入力し、その音を表す音データ（ＰＣＭデータ）を生成する。
【００３１】
音出力部１８は、音データの表す音を、ハンドセットに設けられたスピーカ又は複合機１０本体に設けられた図示しないスピーカから出力する。
［３．機能サーバの構成］
一方、機能サーバ２０は、複合機１０からの要求に応じてその要求元の複合機１０に対するサービスの提供を行うためのものであり、制御部２１、通信部２２及び記憶部２３を備えている。
【００３２】
制御部２１は、ＣＰＵ、ＲＯＭ、ＲＡＭ等からなる周知のマイクロコンピュータを中心に構成されており、機能サーバ２０を構成する各部を統括制御する。なお、ＲＯＭには、後述する各種処理（図６〜図８）をＣＰＵに実行させるためのプログラムが記憶されている。
【００３３】
通信部２２は、インターネット１を介してデータを送受信するための通信処理を行う。
記憶部２３は、図示しないハードディスクに各種データを記憶する。また、記憶部２３には、複合機１０にサービスを提供するために実行されるサービスプログラムが記憶されている。具体的には、複合機１０に提供可能な複数種類のサービスのそれぞれに対応する複数種類のサービスプログラムが記憶されており、制御部２１によりサービスプログラムが実行されることによって、そのサービスプログラムに対応するサービスが複合機１０に提供される。なお、機能サーバ２０が提供するサービスとしては、複合機１０の読取部１３で原稿から読み取られたテキストを翻訳し、翻訳後のテキストを表す印刷データ（印刷用の画像を表す画像データ）を生成して複合機１０の記録部１４に印刷させるという翻訳コピーサービス、特定のデータベースから最新のニュースデータを取得し、この取得情報を表す印刷データを生成して複合機１０の記録部１４に印刷させるというニュース配信サービス、複合機１０の読取部１３で原稿から読み取られたテキストを音声に変換し、その音声を複合機１０の音出力部１８に出力させるという音読サービスなどがある。
【００３４】
［４．処理の説明］
次に、複合機１０及び機能サーバ２０の各制御部１１，２１により実行される処理について説明する。
【００３５】
［４．１  サービス利用処理］
まず、複合機１０の制御部１１が実行するサービス利用処理について、図３のフローチャートを用いて説明する。なお、本サービス利用処理は、操作パネル４０の入力部４０ａにおけるサービスキー４４が押されることにより操作パネル４０の表示部４０ｂに表示されるサービス選択用画面（機能サーバ２０の提供可能な複数種類のサービスから所望のサービスを選択させるための画面）において、利用するサービスの選択操作が行われることにより開始される。
【００３６】
このサービス利用処理が開始されると、まず、Ｓ１０１で、選択されたサービスの開始要求を機能サーバ２０へ送信する処理を行う。
続いて、Ｓ１０２では、Ｓ１０１での開始要求の送信に対して機能サーバ２０から送信されてくるサービス開始情報が受信されたか否かを判定し、受信されたと判定した場合にＳ１０３へ移行する。ここで、サービス開始情報とは、機能サーバ２０においてクライアント（複合機１０）を識別するために用いられるクライアント識別ＩＤと、動作指示要求の送信先ＵＲＬ（サービスに対応する要求先アドレス）とが含まれた情報である。なお、サービス開始情報は、機能サーバ２０の制御部２１により実行される後述のサービス処理（図７）におけるＳ５０１で、開始要求の送信元である複合機１０へ送信される。
【００３７】
Ｓ１０３では、動作指示の送信を要求するための動作指示要求を、受信したサービス開始情報に含まれる動作指示要求の送信先ＵＲＬへ送信する処理を行う。ここで、動作指示とは、サービスを実行するために複合機１０が行うべき動作についての機能サーバ２０からの指示であり、例えば、操作パネル４０での入力処理（複合機側ＵＩ処理）を開始させるための指示や、サービスに関する動作を終了させるための指示などがある。なお、これらの指示以外にも、例えば、読取部１３での原稿の読取処理を開始させるための指示や、記録部１４での画像の印刷を開始させるための指示などがあるが、本発明とは直接関係がないため詳細な説明については省略する。
【００３８】
続いて、Ｓ１０４では、Ｓ１０３での動作指示要求の送信に対して機能サーバ２０から送信されてくる動作指示が受信されたか否かを判定し、受信されたと判定した場合にＳ１０５へ移行する。なお、動作指示は、機能サーバ２０の制御部２１により実行される後述のサービス処理（図７）におけるＳ５０５，Ｓ５０９，Ｓ５１０で、動作指示要求の送信元である複合機１０へ送信される。
【００３９】
Ｓ１０５では、動作指示がサービス終了の指示であるか否かを判定する。
そして、Ｓ１０５で、サービス終了の指示であると判定した場合には、Ｓ１０６へ移行し、サービスに関する動作を終了するための終了処理を行う。その後、本サービス利用処理を終了する。
【００４０】
一方、Ｓ１０５で、サービス終了の指示でないと判定した場合には、Ｓ１０７へ移行し、動作指示がＵＩ処理開始の指示であるか否かを判定する。
そして、Ｓ１０７で、ＵＩ処理開始の指示であると判定した場合には、Ｓ１０８へ移行し、操作パネル４０に関する処理である複合機側ＵＩ処理を開始した後、Ｓ１０３へ戻る。なお、複合機側ＵＩ処理の具体的内容については後述する（図４）。
【００４１】
一方、Ｓ１０７で、ＵＩ処理開始の指示でないと判定した場合には、Ｓ１０９へ移行し、その他の処理を行った後、Ｓ１０３へ戻る。なお、ここでいうその他の処理とは、例えば、動作指示が、読取部１３での原稿の読取処理を開始させるための指示であるか否かの判定処理、及び、読取処理開始の指示であると判定した場合に実行すべき処理（読取処理）や、記録部１４での画像の印刷を開始させるための指示であるか否かの判定処理、及び、印刷開始の指示であると判定した場合に実行すべき処理（印刷処理）などである。
【００４２】
［４．２  複合機側ＵＩ処理］
次に、上記サービス利用処理（図３）におけるＳ１０８で実行される複合機側ＵＩ処理について、図４のフローチャートを用いて説明する。
【００４３】
この複合機側ＵＩ処理が開始されると、まず、Ｓ２０１で、操作パネル４０の表示部４０ｂに表示されている情報の種類を表す変数であるパネルステートに、初期状態であることを表す値「Ｉｄｌｅ」をセットする。
【００４４】
続いて、Ｓ２０２では、操作情報（表示用データに相当）の送信を要求するための操作情報要求を機能サーバ２０へ送信する処理を行う。ここで、操作情報とは、操作パネル４０の表示部４０ｂに表示するための情報であって機能サーバ２０から提供されるものである。なお、後述するように、本複合機側ＵＩ処理の終了を指示するための情報も操作情報として送信される。
【００４５】
続いて、Ｓ２０３では、現時点でのパネルステートが「Ｓｔａｔｕｓ」であるか否かを判定する。なお、パネルステートは、上述したように本複合機側ＵＩ処理の開始時に「Ｉｄｌｅ」にセットされるが、後述するように、機能サーバ２０の状態を表すステータス情報を操作パネル４０の表示部４０ｂに表示している状態では「Ｓｔａｔｕｓ」にセット（変更）され（Ｓ２０８）、複合機１０の操作パネル４０における入力部４０ａにて外部操作による指令の入力（テキストの入力や項目の選択等）を受け付けるための入力／選択情報を操作パネル４０の表示部４０ｂに表示している状態では「Ｉｎｐｕｔ／Ｓｅｌｅｃｔ」にセット（変更）される（Ｓ２１３）。
【００４６】
そして、Ｓ２０３で、パネルステートが「Ｓｔａｔｕｓ」であると判定した場合（操作パネル４０の表示部４０ｂにステータス情報が表示されている場合）には、Ｓ２０４へ移行し、操作パネル４０の表示部４０ｂにステータス情報の表示を継続させる。つまり、操作パネル４０の表示部４０ｂにおける表示内容を変更しない。その後、Ｓ２０６へ移行する。
【００４７】
一方、Ｓ２０３で、パネルステートが「Ｓｔａｔｕｓ」でない（「Ｉｄｌｅ」又は「Ｉｎｐｕｔ／Ｓｅｌｅｃｔ」である）と判定した場合（操作パネル４０の表示部４０ｂに入力／選択情報が表示されている場合）には、Ｓ２０５へ移行し、操作情報の受信待機状態であることを表す「Ｐｒｏｃｅｓｓｉｎｇ」の文字を操作パネル４０の表示部４０ｂに表示させる。つまり、操作パネル４０の表示部４０ｂにおける表示内容を変更する（切り替える）。その後、Ｓ２０６へ移行する。
【００４８】
Ｓ２０６では、Ｓ２０２での操作情報要求の送信に対して機能サーバ２０から送信されてくる操作情報が受信されたか否かを判定し、受信されたと判定した場合にＳ２０７へ移行する。なお、操作情報は、機能サーバ２０の制御部２１により実行される後述のサーバ側ＵＩ処理（図８）におけるＳ６０５で作成され、Ｓ６０６で、操作情報要求の送信元である複合機１０へ送信される。
【００４９】
Ｓ２０７では、受信した操作情報がステータス情報を表すものであるか否かを判定する。すなわち、操作情報は、ステータス情報、入力／選択情報、及び、ＵＩ処理の終了を指示するための終了情報の３種類に分類される。そして、各操作情報には、自身の種類を識別可能な情報が含まれており、本Ｓ２０７では、その含まれている情報に基づき、受信した操作情報がステータス情報であるか否かを判定するのである。
【００５０】
そして、Ｓ２０７で、受信した操作情報がステータス情報を表すものであると判定した場合には、Ｓ２０８へ移行し、パネルステートに値「Ｓｔａｔｕｓ」をセットする。
続いて、Ｓ２０９では、ステータス情報の更新時間を計時するための更新タイマをセット（計時処理を開始）する。
【００５１】
続いて、Ｓ２１０では、受信した操作情報（ステータス情報）を操作パネル４０の表示部４０ｂに表示する処理を行う。
続いて、Ｓ２１１では、更新タイマの計時時間があらかじめ設定されている一定時間を経過したか否かを判定し、一定時間を経過したと判定した場合にＳ２０２へ戻り、既に説明したように操作情報要求を機能サーバ２０へ送信する処理を行う。つまり、操作パネル４０の表示部４０ｂにステータス情報を表示している状態では、一定時間ごとに操作情報要求を機能サーバ２０へ送信して機能サーバ２０の状態を確認するといったポーリング処理が行われる。
【００５２】
一方、Ｓ２０７で、受信した操作情報がステータス情報を表すものでないと判定した場合には、Ｓ２１２へ移行し、受信した操作情報が入力／選択情報を表すものであるか否かを判定する。
【００５３】
そして、Ｓ２１２で、受信した操作情報が入力／選択情報を表すものであると判定した場合には、Ｓ２１３へ移行し、パネルステートに値「Ｉｎｐｕｔ／Ｓｅｌｅｃｔ」をセットする。
【００５４】
続いて、Ｓ２１４では、受信した操作情報（入力／選択情報）を操作パネル４０の表示部４０ｂに表示する処理を行う。
続いて、Ｓ２１５では、操作パネル４０において使用者による入力／選択操作が完了したか否かを判定し、完了したと判定した場合にＳ２０２へ戻り、既に説明したように操作情報要求を機能サーバ２０へ送信する処理を行う。具体的には、入力／選択操作によって入力／選択された情報とともに、操作情報要求を送信する。
【００５５】
一方、Ｓ２１２で、受信した操作情報が入力／選択情報を表すものでないと判定した場合には、Ｓ２１６へ移行し、受信した操作情報がＵＩ処理の終了を表すものであるか否かを判定する。
【００５６】
そして、Ｓ２１６で、受信した操作情報がＵＩ処理の終了を表すものでないと判定した場合には、Ｓ２１７へ移行し、エラー処理を行う。なお、エラー処理の具体的内容については後述する（図５）。
【００５７】
続いて、Ｓ２１８では、操作パネル４０に関する処理を終了するための終了処理を行う。その後、本複合機側ＵＩ処理を終了する。
一方、Ｓ２１６で、受信した操作情報がＵＩ処理の終了を表すものであると判定した場合には、Ｓ２１８へ移行し、上述したように終了処理を行った後、本複合機側ＵＩ処理を終了する。
【００５８】
［４．３  エラー処理］
次に、上記複合機側ＵＩ処理（図４）におけるＳ２１７で実行されるエラー処理について、図５のフローチャートを用いて説明する。
【００５９】
このエラー処理が開始されると、まず、Ｓ３０１で、エラー状態であることを表す値「Ｅｒｒｏｒ」をパネルステートにセットする。
続いて、Ｓ３０２では、エラー情報（エラーが発生した旨のメッセージ）を操作パネル４０の表示部４０ｂに表示する処理を行う。
【００６０】
続いて、Ｓ３０３では、エラーが発生した旨の通知であるエラー通知を機能サーバ２０へ送信する処理を行う。
続いて、Ｓ３０４では、Ｓ３０３でのエラー通知の送信に対して機能サーバ２０から送信されてくるレスポンスが受信されたか否かを判定する。
【００６１】
そして、Ｓ３０４で、レスポンスが受信されていないと判定した場合には、Ｓ３０５へ移行し、レスポンスが受信されない時間があらかじめ設定されたタイムアウト時間を経過したか否かを判定する。
【００６２】
そして、Ｓ３０５で、タイムアウト時間を経過していないと判定した場合には、Ｓ３０４へ戻る。
一方、Ｓ３０５で、タイムアウト時間を経過したと判定した場合、又は、Ｓ３０４で、レスポンスが受信されたと判定した場合には、本エラー処理を終了する。
【００６３】
［４．４  開始要求受付処理］
次に、機能サーバ２０の制御部２１が実行する開始要求受付処理について、図６のフローチャートを用いて説明する。
【００６４】
この開始要求受付処理が開始されると、まず、Ｓ４０１で、新規クライアントから接続されたか否かを判定し、接続されたと判定した場合にＳ４０２へ移行する。具体的には、複合機１０からサービスの開始要求が受信された場合に、新規クライアントから接続されたと判定する。なお、サービスの開始要求は、上述のサービス利用処理（図３）におけるＳ１０１で送信される。
【００６５】
Ｓ４０２では、後述するサービス処理（図７）を起動する。その後、Ｓ４０１へ戻る。
つまり、本開始要求受付処理では、複合機１０からサービスの開始要求が受信された場合にサービス処理を起動する処理が行われる。
【００６６】
［４．５  サービス処理］
次に、上記開始要求受付処理のＳ４０２で起動されるサービス処理について、図７のフローチャートを用いて説明する。
【００６７】
このサービス処理が開始されると、まず、Ｓ５０１で、上記開始要求受付処理（図６）で受信したサービス開始要求の送信元である複合機１０へ、サービス開始情報を返信する。ここで、サービス開始情報とは、上述したように、機能サーバ２０においてクライアント（複合機１０）を識別するために用いられるクライアント識別ＩＤと、サービスに対応する要求先アドレスである動作指示要求の送信先ＵＲＬとを含む情報である。
【００６８】
続いて、Ｓ５０２では、機能サーバ２０から動作指示要求が受信されたか否かを判定し、受信されたと判定した場合にＳ５０３へ移行する。なお、動作指示要求は、複合機１０の制御部１１により実行される上述のサービス利用処理（図３）におけるＳ１０３で送信される。
【００６９】
Ｓ５０３では、機能サーバ２０において実行されているサービスの状態（進行状況）を取得する。
続いて、Ｓ５０４では、Ｓ５０３で取得したサービスの状態がサービスを終了すべき状態（サービスのための処理が完了した状態）であるか否かを判定する。
【００７０】
そして、Ｓ５０４で、取得したサービスの状態がサービスを終了すべき状態であると判定した場合には、Ｓ５０５へ移行し、動作指示要求に対するレスポンス（動作指示）として、サービス終了指示を返信する。
【００７１】
続いて、Ｓ５０６では、サービスに関する処理を終了するためのサービス終了処理を行う。その後、本サービス処理を終了する。
一方、Ｓ５０４で、取得したサービスの状態がサービスを終了すべき状態でないと判定した場合には、Ｓ５０７へ移行し、Ｓ５０３で取得したサービスの状態がＵＩ処理を起動すべき状態であるか否かを判定する。なお、ＵＩ処理を起動すべき状態としては、例えばサービスを実行する上でパラメータの設定が必要な場合が挙げられる。
【００７２】
そして、Ｓ５０７で、取得したサービスの状態がＵＩ処理を起動すべき状態であると判定した場合には、Ｓ５０８へ移行し、後述するサーバ側ＵＩ処理（図８）を起動する。
続いて、Ｓ５０９では、動作指示要求に対するレスポンス（動作指示）として、ＵＩ処理の開始指示を返信する。その後、Ｓ５０２へ戻る。
【００７３】
一方、Ｓ５０７で、取得したサービスの状態がＵＩ処理を起動すべき状態でないと判定した場合には、Ｓ５１０へ移行し、その他の処理を行った後、Ｓ５０２へ戻る。なお、ここでいうその他の処理とは、例えば、取得したサービスの状態が複合機１０において読取部１３での原稿の読取処理を開始させるべき状態であるか否かの判定処理、及び、読取処理を開始すべき状態であると判定した場合に動作指示要求に対するレスポンス（動作指示）として読取処理の開始指示を返信する処理や、取得したサービスの状態が複合機１０において記録部１４での画像の印刷を開始させるべき状態であるか否かの判定処理、及び、印刷開始を開始すべき状態であると判定した場合に動作指示要求に対するレスポンス（動作指示）として印刷処理の開始指示を返信する処理などである。
【００７４】
［４．６  サーバ側ＵＩ処理］
次に、上記サービス処理のＳ５０８で起動されるサーバ側ＵＩ処理について、図８のフローチャートを用いて説明する。
【００７５】
このサーバ側ＵＩ処理が開始されると、まず、Ｓ６０１で、エラー通知が受信されたか否かを判定する。なお、エラー通知は、複合機１０の制御部１１により実行される上述のエラー処理（図５）におけるＳ３０３で送信される。
【００７６】
このＳ６０１で、エラー通知が受信されていないと判定した場合には、Ｓ６０２へ移行し、操作情報要求が受信されたか否かを判定する。なお、操作情報要求は、複合機１０の制御部１１により実行される上述の複合機側ＵＩ処理（図４）におけるＳ２０２で送信される。
【００７７】
そして、Ｓ６０２で、操作情報要求が受信されていないと判定した場合には、Ｓ６０１へ戻る。つまり、エラー通知又は操作情報要求が受信されるまでの間、待機状態となる。
一方、Ｓ６０２で、操作情報要求が受信されたと判定した場合には、Ｓ６０３へ移行し、サービスの処理状態を取得する。
【００７８】
続いて、Ｓ６０４では、Ｓ６０３で取得したサービス処理状態が、ＵＩ処理を終了すべき状態であるか否かを判定する。
このＳ６０４で、取得したサービス処理状態がＵＩ処理を終了すべき状態でないと判定した場合には、Ｓ６０５へ移行し、Ｓ６０３で取得したサービス処理状態に応じた操作情報を作成する。具体的には、複合機１０の操作パネル４０における表示部４０ｂにステータス情報を表示すべき状態（処理待ち状態等）である場合には、ステータス情報を表す操作情報を作成する。一方、複合機１０の操作パネル４０における表示部４０ｂに入力／選択情報を表示すべき状態（パラメータの設定が必要な状態等）である場合には、入力／選択情報を表す操作情報を作成する。
【００７９】
続いて、Ｓ６０６では、Ｓ６０５で作成した操作情報を、操作情報要求に対するレスポンスとして複合機１０へ返信する処理を行う。その後、Ｓ６０１へ戻る。
一方、Ｓ６０４で、取得したサービス処理状態がＵＩ処理を終了すべき状態であると判定した場合には、Ｓ６０７へ移行し、レスポンスとしてサービス終了の操作情報を返信する。その後、本サーバ側ＵＩ処理を終了する。
【００８０】
また、上記Ｓ６０１で、エラー通知が受信されたと判定した場合には、そのままＳ６０７へ移行し、上述のようにレスポンスとしてサービス終了の操作情報を返信した後、本サーバ側ＵＩ処理を終了する。
【００８１】
［５．表示パターンの具体例］
次に、操作パネル４０の表示部４０ｂにおける表示パターンの具体例について図９及び図１０を用いて説明する。なお、図９及び図１０に記載の「階層１」、「階層２」、「階層３」という文字は、説明の便宜上記載したものであり表示はされない。
【００８２】
［５．１  入力／選択情報が表示されている場合の表示パターン］
図９に状態Ａ（階層１）として示すように、「Ｒｅｇｉｓｔｒａｔｉｏｎ」（登録）等の複数の項目の中から１つの項目を選択するための選択画面が操作パネル４０の表示部４０ｂに表示されている状態において（Ｓ２１４）、上下の方向キー４６，４７により「Ｒｅｇｉｓｔｒａｔｉｏｎ」を選択して（選択されている項目が反転表示等される。）ＯＫキー５０を押すと、選択画面の階層が１つ下がり（階層１→階層２）、「Ｒｅｇｉｓｔｒａｔｉｏｎ」についての具体的項目である「Ｕｓｅｒ  Ｎａｍｅ」（ユーザ名）や「Ａｄｄｒｅｓｓ」（住所）等の複数の項目の中から１つの項目を選択するための選択画面が表示される（表示が切り替わる）。この状態において、上下の方向キー４６，４７によりいずれかの項目を選択してＯＫキー５０を押すと、選択画面の階層が更に１つ下がり（階層２→階層３）、その項目に関する情報を入力するための入力画面が表示される（表示が切り替わる）。例えば、階層２の選択画面において「Ａｄｄｒｅｓｓ」を選択してＯＫキー５０を押すと、住所を入力するための入力画面が表示される（階層３）。そして、この入力画面において、図示しないダイアルキー等により住所（例えば「ａｉｃｈｉ」）を入力してＯＫキー５０を押すと、他の必須項目（例えばユーザ名）の入力が完了してなければ階層２の選択画面に戻り、すべての必須項目の入力が完了していれば、選択及び入力した内容が操作情報要求とともに複合機１０から機能サーバ２０へ送信され（Ｓ２１５：ＹＥＳ，Ｓ２０２）、同時に操作情報の受信待機状態となる。この受信待機状態においては、図９に状態Ｂとして示すように、複合機１０にあらかじめ記憶されている受信待機状態であることを表す情報（「Ｐｒｏｃｅｓｓｉｎｇ」の文字によるメッセージ画面）が操作パネル４０の表示部４０ｂに表示される（Ｓ２０３：ＮＯ，Ｓ２０５）。つまり、受信待機状態に移行することにより表示が切り替わる。
【００８３】
その後、操作情報が受信されると（Ｓ２０６：ＹＥＳ）、図９に状態Ｃとして示すように、その受信された操作情報が操作パネル４０の表示部４０ｂに表示される（Ｓ２１４）。つまり、操作情報が受信されることにより表示が切り替わる。この例では、「Ｓｅｒｖｉｃｅ  １」や「Ｓｅｒｖｉｃｅ  ２」等の複数の項目（サービスの分類）の中から１つの項目を選択するための選択画面が表示される。この状態において、上下の方向キー４６，４７により「Ｓｅｒｖｉｃｅ  １」を選択してＯＫキー５０を押すと、選択画面の階層が１つ下がり（階層１→階層２）、「Ｓｅｒｖｉｃｅ  １」についての具体的項目である「Ａｐｐｌｉｃａｔｉｏｎ  １」や「Ａｐｐｌｉｃａｔｉｏｎ  ２」等の複数の項目（具体的なサービス内容）の中から１つの項目を選択するための選択画面が表示される（表示が切り替わる）。この状態において、上下の方向キー４６，４７により「Ａｐｐｌｉｃａｔｉｏｎ  １」を選択してＯＫキー５０を押すと（Ｓ２１５：ＹＥＳ）、選択した内容が操作情報要求とともに複合機１０から機能サーバ２０へ送信され（Ｓ２０２）、同時に操作情報の受信待機状態となる。この受信待機状態においても、図９に状態Ｄとしてに示すように、受信待機状態であることを表す情報（「Ｐｒｏｃｅｓｓｉｎｇ」の文字によるメッセージ画面）が操作パネル４０の表示部４０ｂに表示される（Ｓ２０３：ＮＯ，Ｓ２０５）。つまり、受信待機状態に移行することにより表示が切り替わる。
【００８４】
［５．２  ステータス情報が表示されている場合の表示パターン］
一方、図１０に状態Ａとして示すように、操作パネル４０の表示部４０ｂに、機能サーバ２０の状態を表す情報として「Ｓｃａｎｎｉｎｇ」（原稿からの画像の読取処理の実行中）と表示されている状態においては（Ｓ２１０）、一定時間が経過するごとに複合機１０から機能サーバ２０へ操作情報要求が送信され（Ｓ２１１：ＹＥＳ，Ｓ２０２）、送信と同時に操作情報の受信待機状態となるが、図１０に状態Ｂとして示すように操作パネル４０の表示部４０ｂにおける表示はそのまま維持される（Ｓ２０３：ＹＥＳ，Ｓ２０４）。つまり、受信待機状態に移行しても表示が切り替わらない。その後、操作情報が受信されると（Ｓ２０６：ＹＥＳ）、その受信した操作情報が操作パネル４０の表示部４０ｂに表示される。具体的には、操作情報の表す機能サーバ２０の状態が、原稿からの画像の読取処理の実行中であれば、その旨を表す情報として「Ｓｃａｎｎｉｎｇ」が表示され（Ｓ２１０）、読み取った画像の表すテキストの翻訳処理の実行中であれば、図１０に状態Ｃとして示すように、その旨を表す情報として「Ｔｒａｎｓｌａｔｉｎｇ」が表示される（Ｓ２１０）。つまり、機能サーバ２０の状態が変化していなければ、前回と同じ情報が表示され、機能サーバ２０の状態が変化していれば、更新後の情報が表示される。
【００８５】
［６．実施形態の効果］
以上説明したように、本実施形態の通信システムでは、操作パネル４０の表示部４０ｂに表示されている情報が入力／選択情報である場合には、操作情報要求を機能サーバ２０へ送信したとき（操作情報の受信待機状態に移行したとき）に受信待機状態であることを表す「Ｐｒｏｃｅｓｓｉｎｇ」の文字を操作パネル４０の表示部４０ｂに表示させる（Ｓ２０３：ＮＯ，Ｓ２０５）。一方、操作パネル４０の表示部４０ｂに表示されている情報がステータス情報である場合には、操作情報要求を機能サーバ２０へ送信しても（操作情報の受信待機状態に移行しても）ステータス情報の表示を継続する（Ｓ２０３：ＹＥＳ，Ｓ２０４）。
【００８６】
このため、本通信システムによれば、使用者に不安を与えてしまうことを防ぎつつ、操作情報の表示機能が損なわれてしまうことを防止することができる。すなわち、入力／選択情報が表示されている状態では、入力／選択操作の完了時（入力／選択操作によって入力／選択された情報及び操作情報要求の送信時）に表示を切り替えることによって、受信待機状態に移行したことを使用者に直感的に把握させることができるため、受信待機状態に移行したにもかかわらず使用者がそれを把握できずに不安を感じてしまうことを防ぐことができる。しかも、入力／選択情報が表示されている場合には、タイムアウト等による表示切替などを除き、使用者の意思に関係なく表示情報が更新されないことが通常であるため、表示用データに基づく情報の表示機能が損なわれてしまうことも防止される。
【００８７】
一方、ステータス情報が表示されている状態では、受信待機状態に移行しても表示を切り替えないため、ステータス情報の表示機能が損なわれてしまうことを防ぐことができる。特に、ポーリング処理によりステータス情報を取得する構成のため、頻繁に問い合わせを行う必要があり、受信待機状態となる頻度も高くなることから、受信待機状態に移行しても表示を切り替えないことによる効果が高い。しかも、ステータス情報が表示されている場合には、使用者の意思に関係なく受信待機状態に移行することから、受信待機状態に移行したことを使用者に把握させる必要性が低く、使用者に不安を与えてしまうことを防ぐことができる。
【００８８】
［７．特許請求の範囲との対応］
なお、本実施形態の通信システムでは、複合機１０が、本発明の受信側装置（通信装置）に相当し、操作部１２（具体的には操作パネル４０の入力部４０ａ）が、本発明の入力手段に相当し、操作部（具体的には操作パネル４０の表示部４０ｂ）が、本発明の表示手段に相当し、通信部１５が、本発明の通信手段に相当する。また、複合機側ＵＩ処理（図４）におけるＳ２０２が、本発明のデータ要求処理手段に相当し、Ｓ２０３〜Ｓ２０５が、本発明の待機状態表示処理手段に相当し、Ｓ２１０，Ｓ２１４が、本発明の受信データ表示処理手段に相当する。また、機能サーバ２０が、本発明の送信側装置（外部装置）に相当する。
【００８９】
［８．他の形態］
以上、本発明の一実施形態について説明したが、本発明は、種々の形態を採り得ることは言うまでもない。
【００９０】
例えば、上記実施形態の通信システムでは、複合機１０からのリクエストに対し機能サーバ２０がレスポンスする通信方式を例に挙げて説明したが、本発明はこれ以外の通信方式に適用することも可能である。
【００９１】
また、上記実施形態の通信システムでは、受信側装置（通信装置）として複合機１０を用いた構成を例示したが、こうした多機能装置ではない通常の印刷装置（プリンタ、ファクシミリ、コピー機等）や、印刷装置以外の情報処理装置等を用いることも可能である。
【図面の簡単な説明】
【００９２】
【図１】実施形態の通信システムの概略構成を表すブロック図である。
【図２】複合機に設けられる操作パネルの説明図である。
【図３】複合機の制御部が実行するサービス利用処理のフローチャートである。
【図４】複合機の制御部が実行する複合機側ＵＩ処理のフローチャートである。
【図５】複合機の制御部が実行するエラー処理のフローチャートである。
【図６】機能サーバの制御部が実行する開始要求受付処理のフローチャートである。
【図７】機能サーバの制御部が実行するサービス処理のフローチャートである。
【図８】機能サーバの制御部が実行するサーバ側ＵＩ処理のフローチャートである。
【図９】入力／選択情報が表示されている場合の表示パターンの説明図である。
【図１０】ステータス情報が表示されている場合の表示パターンの説明図である。
【符号の説明】
【００９３】
１…インターネット、２…ブロードバンドルータ、１０…複合機、１１…制御部、１２…操作部、１３…読取部、１４…記録部、１５…通信部、１６…記憶部、１７…音入力部、１８…音出力部、２０…機能サーバ、２１…制御部、２２…通信部、２３…記憶部、４０…操作パネル、４０ａ…入力部、４０ｂ…表示部
【図１】
2006303608.tif 000003
【図２】
2006303608.tif 000004
【図３】
2006303608.tif 000005
【図４】
2006303608.tif 000006
【図５】
2006303608.tif 000007
【図６】
2006303608.tif 000008
【図７】
2006303608.tif 000009
【図８】
2006303608.tif 000010
【図１０】
2006303608.tif 000011
【図９】
2006303608.tif 000012